(57)【要約】【課題】フィルタと別体の含浸材であり、フィルタの厚みへの影響、及び脱落の危険性が無い車両空調フィルタへの含浸材取付方法及を提供する。【解決手段】連続する山折り部４４と谷折り部４６から成るフィルタ面４２が平置き状態で取り付けられるフィルタ４０への含浸材取付方法であって、フィルタ４０の上面側に構成された山折り部４４をクリップ１６で挟み込む事で、フィルタ４０の上面側に構成された谷折り部４６に配置した揮発成分含浸材１２を保持することを特徴とする【選択図】図２
2019154656.tif 000002
【特許請求の範囲】
【請求項１】
連続する山折り部と谷折り部から成るフィルタ面が平置き状態で取り付けられる車両空調フィルタへの含浸材取付方法であって、
前記フィルタの上面側に構成された前記山折り部をクリップで挟み込む事で、前記フィルタの上面側に構成された谷折り部に配置した揮発成分含浸材を保持することを特徴とする車両空調フィルタへの含浸材取付方法。
【請求項２】
前記クリップは、一方の爪の内側に前記揮発成分含浸材が接触し、他方の爪の内側に前記山折り部が接触していることを特徴とする請求項１に記載の車両空調フィルタへの含浸材取付方法。
【請求項３】
前記クリップは、一方の爪と他方の爪双方の内側に前記山折り部が接触し、２つの山折り部の間に前記揮発成分含浸材が配置されていることを特徴とする請求項１に記載の車両空調フィルタへの含浸材取付方法。
【請求項４】
前記一方の爪と前記他方の爪の間に前記山折り部を配置した後、前記爪の側方から前記揮発成分含浸材を挿入することを特徴とする請求項２または３に記載の車両空調フィルタへの含浸材取付方法。
【請求項５】
連続する山折り部と谷折り部からなる車両空調フィルタの厚み内に収まる高さを備えた棒状の揮発成分含浸材と、
前記揮発成分含浸材と、前記揮発成分含浸材を配置した谷折り部に隣接する山折り部とを共に、前記揮発成分含浸材の配置側面から挟持するクリップと、を有することを特徴とする車両空調フィルタ用含浸材ユニット。
【請求項６】
前記クリップは、前記揮発成分含浸材を保持する保持部と、少なくとも前記山折り部を挟持する爪を有することを特徴とする請求項５に記載の車両空調フィルタ用含浸材ユニット。
【請求項７】
前記揮発成分含浸材は、少なくとも一方の端部に、揮発成分材料を含浸させない持ち手部を有することを特徴とする請求項５または６に記載の車両空調フィルタ用含浸材ユニット。
【請求項８】
前記揮発成分含浸材は、指定開放端部に前記持ち手部が位置するように配置して密閉容器に封止されて保管されていることを特徴とする請求項７に記載の車両空調フィルタ用含浸材ユニット。
【請求項９】
前記揮発成分含浸材の長手方向に沿った側面には、前記谷折り部の断面形状に沿った非並行面が形成されていることを特徴とする請求項５乃至８のいずれか１項に記載の車両空調フィルタ用含浸材ユニット。
【発明の詳細な説明】
【技術分野】
【０００１】
本発明は、車両空調フィルタに対し、消臭成分や、抗菌成分、あるいは芳香成分を含浸させた含浸材を取り付ける方法、および取り付け対象とする含浸材ユニットに関する。
【背景技術】
【０００２】
車両空調フィルタに対して消臭成分や、抗菌成分、あるいは芳香成分を付与する手段としては、大別して、フィルタ自体にその機能を持たせる手段と、フィルタにその機能を有するものを備え付けるという手段が知られている。
【０００３】
フィルタ自体に消臭や抗菌、芳香といった機能を持たせる手段としては、例えば特許文献１に開示されているようなものが知られている。特許文献１に開示されているフィルタは、フィルタを構成する不織布を複数の層で構成している。そして、層間に消臭成分材料等を挟み込む事で、フィルタ自体に消臭成分材料を担持させ、フィルタ自体に消臭機能を持たせるというものである。
【０００４】
一方、フィルタに消臭や芳香といった機能を有するものを備え付ける手段としては、例えば特許文献２や、非特許文献１に開示されているようなものが知られている。特許文献２に開示されている技術は、凹状部を備えた容器に芳香成分材料を配置した芳香素材をフィルタにおける通風の上流側に位置する面に配置するというものである。芳香素材の配置は、フィルタの外周に位置する縁（枠部）を利用した貼付、あるいは掛け止めによって成される。
【０００５】
また、非特許文献１に開示されている技術は、抗菌成分を備えたユニットをフィルタにおける通風の下流側に配置し、上流側からフィルタ素材ごとクリップで挟み込むことで、フィルタに対してユニットを固定するというものである。
【先行技術文献】
【特許文献】
【０００６】
【特許文献１】特開２０１６−１３７８０１号公報
【特許文献２】特表２０１７−５２２９６４号公報
【非特許文献】
【０００７】
【非特許文献１】Ｖａｌｅｏ［ウェブサイト］、［日本のアフターマーケット］、［平成３０年３月５日検索］、インターネット＜ＵＲＬ：http://www.valeo.co.jp/about-valeo-in-japan/aftermarket-in-japan/aftermarket-in-japan-wasabi-d-air.html＞
【発明の概要】
【発明が解決しようとする課題】
【０００８】
上記特許文献、非特許文献に開示されている技術は、いずれも消臭、抗菌、芳香といった効果を奏するものであると考えられる。しかし、それぞれ次のような問題がある。例えば、特許文献１に開示されているフィルタの場合、消臭成分の機能維持期間は、フィルタの機能維持期間よりも短い。このため、消臭成分の機能を確保するためには、フィルタ自体の機能には問題無いにも関わらず、フィルタを交換する必要が生じる。
【０００９】
特許文献２に開示されている芳香素材は、フィルタ表面に配置するタイプである。このため、フィルタ面と枠部の高さ（厚み）が同じフィルタの場合、芳香剤の配置によりフィルタの取り付けが困難となる場合が生じる。
【００１０】
非特許文献１に開示されているユニットは、フィルタの一方の面に配置したユニットをフィルタの他方の面からクリップで固定する取り付け形態である。このため、取付状態の確認がし辛いと共に、水平配置のフィルタにおいては、下面に配置した部材（ユニット、あるいはクリップ）が、手の届かない車内に脱落する危険性がある。
【００１１】
そこで本発明では、上記問題を解決し、フィルタと別体の含浸材であり、フィルタの厚みへの影響、及び脱落の危険性が無い車両空調フィルタへの含浸材取付方法及び車両空調フィルタ用含浸材ユニットを提供することを目的とする。
【課題を解決するための手段】
【００１２】
上記目的を達成するための車両空調フィルタへの含浸材取付方法は、連続する山折り部と谷折り部から成るフィルタ面が平置き状態で取り付けられる車両空調フィルタへの含浸材取付方法であって、前記フィルタの上面側に構成された前記山折り部をクリップで挟み込む事で、前記フィルタの上面側に構成された谷折り部に配置した揮発成分含浸材を保持することを特徴とする。
【００１３】
また、上記のような特徴を有する車両空調フィルタへの含浸材取付方法において、前記クリップは、一方の爪の内側に前記揮発成分含浸材が接触し、他方の爪の内側に前記山折り部が接触しているようにすると良い。このような特徴を有することによれば、揮発成分含浸材と山折り部とが密接した状態で、１つのクリップに挟持されることとなる。これにより、取付状態の安定化を図ることができる。
【００１４】
また、上記のような特徴を有する車両空調フィルタへの含浸材取付方法において、前記クリップは、一方の爪と他方の爪双方の内側に前記山折り部が接触し、２つの山折り部の間に前記揮発成分含浸材が配置されているようすることもできる。このような特徴を有する事によれば、連続する山折り部と谷折り部によって構成される蛇腹の間隔が狭い場合や、フィルタを構成する素材が薄手である場合であっても、クリップの形状を変える事なく対応することができる。
【００１５】
また、上記のような特徴を有する車両空調フィルタへの含浸材取付方法では、前記一方の爪と前記他方の爪の間に前記山折り部を配置した後、前記爪の側方から前記揮発成分含浸材を挿入するようにすることが望ましい。このような特徴を有する事によれば、クリップを広げる事なく揮発成分含浸材の取り付けを行う事ができる。よって、クリップを広げるための持ち手部を無くす事ができ、フィルタ上面からの突出部を生じさせない。
【００１６】
また、上記目的を達成するための車両空調フィルタ用含浸材ユニットは、連続する山折り部と谷折り部からなる車両空調フィルタの厚み内に収まる高さを備えた棒状の揮発成分含浸材と、前記揮発成分含浸材と、前記揮発成分含浸材を配置した谷折り部に隣接する山折り部とを共に、前記揮発成分含浸材の配置側面から挟持するクリップと、を有することを特徴とする。
【００１７】
また、上記のような特徴を有する車両空調フィルタ用含浸材ユニットにおいて前記クリップは、前記揮発成分含浸材を保持する保持部と、少なくとも前記山折り部を挟持する爪を有する構成とすると良い。このような特徴を有する事によれば、揮発成分含浸材の保持と、取付状態の安定化の双方の効果を奏することができる。
【００１８】
また、上記のような特徴を有する車両空調フィルタ用含浸材ユニットにおいて前記揮発成分含浸材は、少なくとも一方の端部に、揮発成分材料を含浸させない持ち手部を有する構成とすると良い。このような特徴を有する事によれば、揮発成分含浸材を取り扱う際、手などの把持部に揮発成分材料が付着する事を防ぐことができる。
【００１９】
また、上記のような特徴を有する車両空調フィルタ用含浸材ユニットにおいて前記揮発成分含浸材は、指定開放端部に前記持ち手部が位置するように配置して密閉容器に封止されて保管される構成とすることができる。このような特徴を有する事によれば、揮発成分含浸材の使用可能状態を長期的に維持する事が可能となる。また、密閉容器から揮発成分含浸材を取り出す際、手などの把持部に揮発成分含浸材料が付着することを防ぐことができる。
【００２０】
さらに、上記のような特徴を有する車両空調フィルタ用含浸材ユニットでは、前記揮発成分含浸材の長手方向に沿った側面に、前記谷折り部の断面形状に沿った非並行面が形成されている構成とすることが望ましい。このような特徴を有する事によれば、フィルタの谷部へ揮発成分含浸材の収まりを良好にする事ができる。また、平板状に形成する場合に比べて揮発成分含浸材の体積を大きくする事ができ、揮発成分材料の含浸量を増やすことができる。
【発明の効果】
【００２１】
上記のような特徴を有する車両空調フィルタへの含浸材取付方法及び車両空調フィルタ用含浸材ユニットによれば、フィルタと別体の含浸材でありながら、フィルタの厚みへの影響が殆ど無く、その厚みに関わらず取り付けを行う事ができる。また、フィルタと別体の構成としながらも、例えばフィルタの下面側へ構成部材が落下するといった虞が無い。
【図面の簡単な説明】
【００２２】
【図１】第１実施形態に係る含浸材ユニットの構成を示す分解斜視図である。
【図２】フィルタに対する含浸材ユニットの取り付け方を説明するための斜視図である。
【図３】フィルタの上面側に構成された山折り部にクリップを配置した状態を示す断面図である。
【図４】山折り部をクリップの他方の爪側へ偏らせた状態を示す断面図である。
【図５】クリップの一方の爪とフィルタの山折り部との間に形成された隙間に揮発成分含浸材を挿入した状態を示す図である。
【図６】フィルタの上面側に含浸材ユニットを取り付けた状態を示す斜視図である。
【図７】揮発成分含浸材を保管する密閉容器と、密閉容器内での揮発成分含浸材の配置形態を示す斜視図である。
【図８】第１実施形態に係る含浸材ユニットにおけるクリップの変形例を示す正面構成図である。
【図９】第１実施形態に係る含浸材ユニットにおけるクリップの変形例を示す側面構成図である。
【図１０】第１実施形態に係る含浸材ユニットにおけるクリップの変形例を示す側面構成図であり、持ち手部を分離した状態を示す。
【図１１】第２実施形態に係る含浸材ユニットの構成を示す斜視図である。
【図１２】第３実施形態に係る含浸材ユニットの構成を示す斜視図である。
【図１３】第３実施形態に係る含浸材ユニットの変形例を示す斜視図である。
【発明を実施するための形態】
【００２３】
以下、本発明の車両空調フィルタへの含浸材取付方法及び車両空調フィルタ用含浸材ユニットに係る実施の形態について、図面を参照して詳細に説明する。まず、図１を参照して、第１実施形態に係る車両空調フィルタ用含浸材ユニットについて説明する。
【００２４】
［第１実施形態］
本実施形態に係る車両空調フィルタ用含浸材ユニット（以下、単に含浸材ユニット１０と称す）は、揮発成分含浸材１２と、クリップ１６を基本として構成されている。揮発成分含浸材１２は、消臭や抗菌、あるいは芳香といった機能を成す揮発成分材料を含浸させた素材である。母材としては、前述のような機能を成す揮発成分材料を含浸させる事ができる空隙等を有する素材であれば良く、例えば多孔質樹脂や、紙、多孔質あるいは成分置換が可能な鉱物などを採用する事ができる。
【００２５】
本実施形態に係る揮発成分含浸材１２は、棒状部材により構成されており、長手方向の一方の端部に持ち手部１４を備えている。持ち手部１４は、揮発成分材料が含浸しない素材により構成されている。持ち手部１４を把持して揮発成分含浸材１２を取り扱う事により、揮発成分材料が手などに付着することを防ぐ事ができるからである。
【００２６】
また、本実施形態に係る揮発成分含浸材１２は、長手方向と直交する方向の断面形状を台形としている（例えば図５参照）。詳細を後述するフィルタ４０の谷折り部４６の断面形状（谷折り部４６から山折り部４４にかけての傾斜面）に沿った非並行面１２ａを、長手方向に沿った側面に備える構成とすることで、谷折り部４６への収容性を向上させることができるからである。また、断面形状を台形状とすることで、揮発成分含浸材１２を平板状に形成する場合に比べ、揮発成分含浸材１２の体積を大きくすることができる。これにより、揮発成分材料の含浸量を増やす事ができ、機能の持続性や効能を高めることが可能となる。
【００２７】
また、本実施形態に係る揮発成分含浸材１２は、持ち手部１４を配置した端部と反対側の端部（先端側端部）に、テーパ部１２ｂを形成している。テーパ部１２ｂを備える事により、詳細を後述するクリップ１６に対する挿入を容易化することができる。
【００２８】
クリップ１６は、揮発成分含浸材１２をフィルタ４０に取り付けるための要素である。クリップ１６は、一対の爪（一方の爪１８と他方の爪２０の双方を示す）と、一対の爪１８，２０の基端側を連結する連結部２２から成るコ字状を成している。一対の爪１８，２０は、基端側に比べて先端側の配置幅が狭まるように傾倒して構成されており、先端には、互いに対向する方向に延設された反し１８ａ，２０ａが備えられている。このような構成とすることで、挟み込み時に一対の爪１８，２０が拡開された場合には、挟持効果を奏することができる。また、爪の先端に反し１８ａ，２０ａを設ける事により、フィルタ４０に対する掛かりを持つ事ができ、抜け止め効果を奏することとなる。ここで、連結部２２から反し１８ａ，２０ａまでの距離Ｄ０（図４参照）を揮発成分含浸材１２の高さＤ１（図５参照）に合わせ、揮発成分含浸材１２を保持可能な構成とすることで、挟持状態（組付状態）の安定化を図ることができる。
【００２９】
このような構成の揮発成分含浸材１２とクリップ１６のうち、少なくとも揮発成分含浸材１２は、保管時には図７に示すような密閉容器３０に封止されている。不使用時（保管時）には、揮発成分材料の拡散を防ぎ、使用可能状態を維持する必要があるからである。密閉容器３０を、図７に示すような袋状とした場合、揮発成分含浸材１２は、その持ち手部１４が、密閉容器３０の指定開放端部３２側に位置するように収納される。このような収納形態とすることで、使用者は、密閉容器３０の開封を行った後、持ち手部１４以外に触れる事なく揮発成分含浸材１２を取り出すことができるからである。
【００３０】
［取り付け］
次に、上記のような構成の含浸材ユニット１０のフィルタ４０への取り付けについて説明する。ここで、含浸材ユニット１０を取り付けるフィルタ４０は、図２から図６に示すように、連続する山折り部４４と谷折り部４６によって構成する蛇腹構造のフィルタ面４２を構成し、蛇腹の形成方向と直交する端面には、側壁部４８を有する。フィルタ面は、不織布等により形成されており、蛇腹状に折り込む事により、平面状態に比べて表面積を広げることができ、通気効率の向上を図ることができる。なお、本実施形態において、含浸材ユニット１０を取り付けるフィルタ４０は、フィルタ面４２が平置き状態（例えば水平）で取り付けられることを前提としている。よって、以下の説明では、フィルタ４０の一方の面を上面、他方の面を下面と称する。
【００３１】
本実施形態に係る含浸材ユニット１０は、まず、図３に示すように、フィルタ４０の上面側に形成された１つの山折り部４４を一対の爪１８，２０が跨ぐように、クリップ１６をフィルタ面４２に被せる。次に、クリップ１６の内側に位置している山折り部４４を一方の爪１８または他方の爪２０側に偏らせる（本実施形態では一例として、他方の爪２０側に偏らせることとする）。山折り部４４を他方の爪２０側に偏らせた事により、図４に示すように、一方の爪１８と山折り部４４との間の隙間が拡開される。
【００３２】
一方の爪１８と山折り部４４との間の隙間を拡開させた後、図５に示すように、隙間に揮発成分含浸材１２を挿入する。揮発成分含浸材１２の挿入は、クリップ１６の断面方向、すなわち、一対の爪１８，２０の配置方向と直交する方向から行う。ここで、揮発成分含浸材１２は、非並行面が、谷折り部４６（２つの山折り部４４の間に形成される谷部）の傾斜に倣う方向を向いた状態となるようにする。揮発成分含浸材１２の配置方向をこのように定める事で、クリップ１６へのスライド挿入が可能となると共に、楔形状により、クリップ１６からの脱落を防ぐことができる。このようにして、揮発成分含浸材１２をスライド挿入することで、クリップ１６に設けた一対の爪１８，２０を故意に拡開させる事無く揮発成分含浸材１２を保持させることが可能となる。
【００３３】
また、このような挟持状態では、一方の爪１８の反し１８ａが揮発成分含浸材１２をホールドし、他方の爪２０の反し２０ａがフィルタ４０に掛かることとなる。このため、クリップ１６は、揮発成分含浸材１２の保持効果と、フィルタ４０に対する抜け止め効果の双方を発揮することができる。
【００３４】
［効果］
上記のようにして、含浸材ユニット１０をフィルタ４０へ取り付けることによれば、含浸材ユニット１０の構成部材である揮発成分含浸材１２と、クリップ１６の双方をフィルタ４０の上面側に配置した状態で取り付けを実現することができる。このため、構成部材がフィルタ４０の下面側へ脱落する虞が無い。また、揮発成分含浸材１２と、クリップ１６の双方をフィルタの上面側に配置することで、取り付け時の視認性が良好となり、取り付け不良を防ぐことができる。
【００３５】
また、揮発成分含浸材１２の高さＤ１をクリップ１６を構成する一対の爪１８，２０の高さ（連結部２２から反し１８ａ，２０ａまでの距離Ｄ０）に合わせた棒状に形成し、フィルタ４０の谷折り部４６（２つの山折り部４４の間に形成される谷部）に配置可能な構成とすることで、取付状態においてフィルタ４０の上面への突出部が生じない構成としている。このため、フィルタ４０の厚みｈが薄い場合であっても取り付けを可能とし、フィルタ４０自体の車両への着脱にも支障を生じさせることがない。
【００３６】
［変形例１］
上記実施形態では、含浸材ユニット１０をフィルタ４０へ取り付けた際、一方の爪１８の内側に揮発成分含浸材１２が当接し、他方の爪２０の内側にフィルタ４０の山折り部４４が当接している状態となる旨記載した。しかしながら、一方の爪１８の内側と他方の爪２０の内側の双方に、それぞれ個別の山折り部４４を当接させ、２つの山折り部４４の間にできる隙間に揮発成分含浸材１２を配置する構成としても良い。このような取付状態とした場合であても、構成部材の脱落防止、取り付け時の視認性確保、およびフィルタ４０の着脱良好性の確保といった効果を奏することができるからである。
【００３７】
また、このような取り付け方法を採用する場合、連続する山折り部４４と谷折り部４６によって構成される蛇腹の間隔が狭い場合や、フィルタ４０を構成する素材が薄手である場合であっても、クリップ１６の形状を変える事なく取り付けを実施することができるようになる。
【００３８】
［変形例２］
また、上記実施形態では、フィルタ４０への含浸材ユニット１０の取り付けについて、クリップ１６を配置した後、揮発成分含浸材１２をスライド挿入する旨記載した。しかしながら、含浸材ユニット１０の取り付けは、フィルタ４０の谷折り部４６に揮発成分含浸材１２を配置した後、クリップ１６による挟持を行うようにしても良い。
【００３９】
このような工程で、含浸材ユニット１０の取り付けを行う場合、例えば図８から図１０に示すような形態のクリップ１６を採用すると良い。なお、図８は、クリップの正面形態を示す図であり、図９はクリップの側面形態を示す図である。また、図１０は、クリップから力点となる持ち手部２４を取り外した状態を示す図である。
【００４０】
このようなクリップ１６を採用する場合、揮発成分含浸材１２を谷折り部４６に配置した後、持ち手部２４の上端を矢印Ａで示す方向に押圧することで、一方の爪１８と他方の爪２０の先端が矢印Ｂで示す方向に拡開する。一方の爪１８と他方の爪２０を拡開させた状態でフィルタ４０の山折り部４４と揮発成分含浸材１２を挟み込み、持ち手部２４の押圧を解除することで、一対の爪１８，２０の先端の拡開も解除され、挟持・固定状態が生じることとなる。
【００４１】
クリップ１６による挟持が完了した後、持ち手部２４の基端を矢印Ｃで示す方向へ押圧することで、一方の爪１８と他方の爪２０それぞれと、持ち手部２４との係合を解除することが可能となり、図１０に示すように、持ち手部２４を分離することができる。持ち手部２４を分離させることで、取付状態において、フィルタ４０の上面への突出部が無くなり、上記実施形態と同様な効果を奏することが可能となる。
【００４２】
［変形例３］
上記実施形態では、フィルタ４０に対して含浸材ユニット１０を１つ配置するように記載した。しかしながら、本実施形態に係る含浸材ユニット１０は、フィルタ４０に許容される取り付けスペースが存在する限りにおいて、単一のフィルタ４０に複数の含浸材ユニット１０を取り付けることができる。このように、フィルタ４０に対する含浸材ユニット１０の取り付け数を変化させた場合には、芳香や消臭、抗菌といった機能の効力を調整することができる。
【００４３】
また、含浸材ユニット１０を複数取り付ける場合において、それぞれの揮発成分含浸材１２に含浸されている揮発成分材料の効能を変化させても良い。すなわち、異なる香り成分の揮発成分材料を含浸させた揮発成分含浸材１２を組み合わせて配置することもできるし、芳香作用を持つ揮発成分材料を含浸させた揮発成分含浸材１２と、抗菌作用を持つ揮発成分材料を含浸させた揮発成分含浸材１２とを組み合わせて配置しても良い。このような取り付け形態とした場合には、複合的な芳香や、効果を得る事が可能となる。
【００４４】
さらに、揮発成分の効力や機能維持期間については、揮発成分含浸材１２の体積（揮発成分材料の含浸量）と、揮発成分含浸材１２の表面積（揮発成分材料の揮発効率）に依存する。このため、揮発成分含浸材１２の長さを変化させて体積を増減させたり、表面形状を変化（凹凸やスリットを設ける等）させて表面積を増減させる事によりその効力や機能維持期間を調整しても良い。
【００４５】
［第２実施形態］
次に、図１１を参照して、第２実施形態に係る含浸材ユニット１０Ａについて説明する。本実施形態に係る含浸材ユニット１０Ａは、揮発成分含浸材１２とクリップ１６を有し、揮発成分含浸材１２には、持ち手部１４を備えるという点で、第１実施形態に係る含浸材ユニット１０と一致する。一方で、フィルタ４０への取り付けに関し、持ち手部１４をクリップ１６へ係合させる事により成すという点で第１実施形態に係る含浸材ユニット１０と異なる。
【００４６】
本実施形態では、持ち手部１４におけるクリップ１６との対向側面に、ジョイント溝１４ａが形成されており、クリップ１６の対向側面には、ジョイントキー１６ａが形成され、フィルタ４０を挟持したクリップ１６に対して、持ち手部１４をジョイント接続可能な構成としている。
【００４７】
含浸材ユニット１０をこのような構成とした場合であっても、フィルタ４０の上面側に構成された山折り部４４をクリップで挟み込む事で、フィルタ４０の上面側に構成された谷折り部４６に配置した揮発成分含浸材１２を保持するという点に変わりは無く、また、上記実施形態と同様な効果を奏する事ができる事により、本発明の一部とみなすことができる。なお、本実施形態では、持ち手部１４にジョイント溝１４ａを形成し、クリップ１６にジョイントキー１６ａを形成する旨記載した。しかしながら、持ち手部１４にジョイントキーを形成し、クリップ１６にジョイント溝を形成する構成としても、その機能に変わりは無い。また、このような構成の含浸材ユニット１０Ａは、実質的に、クリップ１６が、揮発成分含浸材１２を保持する保持部と、山折り部４４を挟持する爪を備えている事と相違が無い。
【００４８】
［第３実施形態］
次に、図１２を参照して、第３実施形態に係る含浸材ユニット１０Ｂについて説明する。本実施形態に係る含浸材ユニット１０Ｂは、持ち手部１４に、上記実施形態におけるクリップ１６の機能を持たせた事を特徴としている。
【００４９】
具体的には、本実施形態に係る持ち手部１４は、持ち手部１４の側方に、フィルタ４０の山折り部４４を挟持可能な爪１４ｂ１を備えたクリップ部１４ｂを設ける構成としている。このような構成のクリップ部１４ｂは、持ち手部１４本体の側面と爪１４ｂ１との間に形成される空隙に、フィルタ４０の山折り部４４を挟持可能な構成としている。
【００５０】
含浸材ユニット１０Ｂをこのような構成とした場合であっても、フィルタ１０の上面側に構成された山折り部４４をクリップ（クリップ部１４ｂ）で挟み込む事で、フィルタ４０の上面側に構成された谷折り部４６に配置した揮発成分含浸材１２を保持するという点に変わりは無く、また、上記実施形態と同様な効果を奏する事ができる事より、本発明の一部とみなすことができる。また、このような構成の含浸材ユニット１０Ｂは、持ち手１４が爪１４ｂ１を備え、クリップとしての役割を担うこととしているが、実質的に、クリップが、揮発成分含浸材１２を保持する保持部と、山折り部４４を挟持する爪を備えている事と相違が無い。
【００５１】
［変形例１］
上記説明では、第３実施形態に係る含浸材ユニット１０Ｂは、持ち手部１４の一方の側方のみにクリップ部１４ｂを備える構成としていた。しかし、本実施形態に係る含浸材ユニット１０Ｂは、図１３に示すように、持ち手部１４の両側にクリップ部１４ｂを備える構成としても良い。このような構成とした場合であっても、その機能を満たす事が可能だからである。
【符号の説明】
【００５２】
１０，１０Ａ，１０Ｂ………含浸材ユニット、１２………揮発成分含浸材、１２ａ………非並行面、１２ｂ………テーパ部、１４………持ち手部、１４ａ………ジョイント溝、１４ｂ………クリップ部、１４ｂ１………爪、１６………クリップ、１８………一方の爪、１８ａ………反し、２０………他方の爪、２０ａ………反し、２２………連結部、２４………持ち手部、３０………密閉容器、３２………指定開放端部、４０………フィルタ、４２………フィルタ面、４４………山折り部、４６………谷折り部、４８………側壁部。
【図１】
2019154656.tif 000003
【図２】
2019154656.tif 000004
【図３】
2019154656.tif 000005
【図４】
2019154656.tif 000006
【図５】
2019154656.tif 000007
【図６】
2019154656.tif 000008
【図７】
2019154656.tif 000009
【図８】
2019154656.tif 000010
【図９】
2019154656.tif 000011
【図１０】
2019154656.tif 000012
【図１１】
2019154656.tif 000013
【図１２】
2019154656.tif 000014
【図１３】
2019154656.tif 000015